(57)【要約】【課題】蓋の表面を覆う金属製の蓋表面部材を有する炊飯器において、蓋からの熱の損失を低減し、省エネルギー性を向上し、量産の容易な炊飯器を提供する。【解決手段】炊飯器本体１１内に鍋１２を着脱自在に収納し、この鍋１２を加熱コイル１５により加熱制御し、炊飯器本体１１の上面を蓋１８により開閉自在に覆い、この蓋１８をヒータ２１により加熱するとともに、蓋１８内に蓋断熱材２２を配置し、鍋１２の温度を底センサ１６により検知し、加熱コイル１５とヒータ２１を制御手段１７により制御し、蓋１８の表面を金属製の蓋表面部材２３により覆うよう構成する。蓋１８と蓋表面部材２３の間に補助断熱材２４を配置する。【選択図】  図１
2004350828.tif 000002
【特許請求の範囲】
【請求項１】
炊飯器本体と、前記炊飯器本体内に着脱自在に収納される鍋と、前記鍋を加熱制御する鍋加熱手段と、前記炊飯器本体の上面を開閉自在に覆う蓋と、前記蓋を加熱する蓋加熱手段と、前記蓋内に配置した蓋断熱材と、前記鍋の温度を検知する鍋温度検知手段と、前記鍋加熱手段と前記蓋加熱手段を制御する制御手段と、前記蓋の表面を覆う金属製の蓋表面部材とを備え、前記蓋と蓋表面部材の間に補助断熱材を配置した炊飯器。
【請求項２】
補助断熱材は、蓋と蓋表面部材のどちらにも固定せず挟持した請求項１記載の炊飯器。
【請求項３】
炊飯器本体と、前記炊飯器本体内に着脱自在に収納される鍋と、前記鍋を加熱制御する鍋加熱手段と、前記炊飯器本体の上面を開閉自在に覆う蓋と、前記蓋を加熱する蓋加熱手段と、前記蓋内に配置した蓋断熱材と、前記鍋の温度を検知する鍋温度検知手段と、前記鍋加熱手段と前記蓋加熱手段を制御する制御手段と、前記蓋の表面を覆う蓋表面部材とを備え、前記蓋と蓋表面部材の間に空間を形成するように、前記蓋、蓋表面部材の少なくとも一方にリブを設けた炊飯器。
【請求項４】
リブは、水平方向に小さく区切るように設けた請求項３記載の炊飯器。
【請求項５】
蓋表面部材と蓋の対向している面のいずれかを反射率の高い表面状態とした請求項１〜４のいずれか１項に記載の炊飯器。
【発明の詳細な説明】
【０００１】
【発明の属する技術分野】
本発明は、蓋の表面を覆う金属製の蓋表面部材を有する炊飯器に関するものである。
【０００２】
【従来の技術】
従来、この種の炊飯器は図５に示すように構成していた。以下、その構成について説明する。
【０００３】
図５に示すように、炊飯器本体１は、内部に鍋２を着脱自在に収納し、鍋２内の米と水を加熱する鍋加熱手段３を鍋２の底部に配置している。また、鍋２の上面を覆う蓋４を開閉自在に設けている。蓋４は、金属材で構成した平面ほぼリング状の第１の上板５と、合成樹脂で構成した第１の上板の外周縁部に一体成形した平面ほぼリング状の第２の上板６とを有し、第１の上板５の下面を第２の上板６から連続する合成樹脂で被覆しており、蓋４内に蓋加熱手段７と蓋断熱材８を配置している。
【０００４】
また、米飯の加熱状態を制御するために、鍋２の底部に鍋２の温度を検知する鍋温度検知手段９を配置している。制御手段１０はこの鍋温度検知手段９の検知温度に基づいて鍋加熱手段３、蓋加熱手段７を制御するよう構成している（例えば、特許文献１参照）。
【０００５】
【特許文献１】
特開２００１−２５４３６号公報
【０００６】
【発明が解決しようとする課題】
上述のような構成の炊飯器では、保温を行なうと、蓋４の第１の上板５と第２の上板６を一体成形しているため、その間に大きな空間を形成することができず、鍋２や蓋加熱手段７の熱が蓋４の表面へと伝わりやすく、熱を損失し、省エネルギー性が悪くなってしまう。
【０００７】
また、第１の上板５の下面を第２の上板６から連続する合成樹脂で被覆すると、金属と合成樹脂の収縮率の差から、成形後に全体の変形、樹脂部分の割れ等が発生しやすく量産が困難である。
【０００８】
本発明は上記従来の課題を解決するもので、蓋からの熱の損失を低減し、省エネルギー性を向上し、量産の容易な炊飯器を提供することを目的としている。
【０００９】
【課題を解決するための手段】
本発明は上記目的を達成するために、炊飯器本体内に鍋を着脱自在に収納し、この鍋を鍋加熱手段により加熱制御し、炊飯器本体の上面を蓋により開閉自在に覆い、この蓋を蓋加熱手段により加熱するとともに、蓋内に蓋断熱材を配置し、鍋の温度を鍋温度検知手段により検知し、鍋加熱手段と蓋加熱手段を制御手段により制御し、蓋の表面を金属製の蓋表面部材により覆うよう構成し、蓋と蓋表面部材の間に補助断熱材を配置したものである。
【００１０】
これにより、蓋からの熱の損失を低減できて、省エネルギー性を向上することができ、量産の容易な炊飯器を提供することができる。
【００１１】
【発明の実施の形態】
本発明の請求項１に記載の発明は、炊飯器本体と、前記炊飯器本体内に着脱自在に収納される鍋と、前記鍋を加熱制御する鍋加熱手段と、前記炊飯器本体の上面を開閉自在に覆う蓋と、前記蓋を加熱する蓋加熱手段と、前記蓋内に配置した蓋断熱材と、前記鍋の温度を検知する鍋温度検知手段と、前記鍋加熱手段と前記蓋加熱手段を制御する制御手段と、前記蓋の表面を覆う金属製の蓋表面部材とを備え、前記蓋と蓋表面部材の間に補助断熱材を配置したものであり、補助断熱材により蓋と蓋表面部材の間の断熱性を向上させることができ、蓋からの熱の損失を低減し、省エネルギー性を向上することができるとともに、成形時の問題をなくし、量産性を確保することができる。
【００１２】
請求項２に記載の発明は、上記請求項１に記載の発明において、補助断熱材は、蓋と蓋表面部材のどちらにも固定せず挟持したものであり、補助断熱材と蓋または蓋表面部材との接触面積を少しでも減らして、熱伝導を抑えることにより省エネルギー性を向上することができる。
【００１３】
請求項３に記載の発明は、炊飯器本体と、前記炊飯器本体内に着脱自在に収納される鍋と、前記鍋を加熱制御する鍋加熱手段と、前記炊飯器本体の上面を開閉自在に覆う蓋と、前記蓋を加熱する蓋加熱手段と、前記蓋内に配置した蓋断熱材と、前記鍋の温度を検知する鍋温度検知手段と、前記鍋加熱手段と前記蓋加熱手段を制御する制御手段と、前記蓋の表面を覆う蓋表面部材とを備え、前記蓋と蓋表面部材の間に空間を形成するように、前記蓋、蓋表面部材の少なくとも一方にリブを設けたものであり、蓋と蓋表面部材の間に空間を確実に形成することができて、断熱性を向上することができ、蓋からの熱の損失を低減し、省エネルギー性を向上することができる。
【００１４】
請求項４に記載の発明は、上記請求項３に記載の発明において、リブは、水平方向に小さく区切るように設けたものであり、蓋と蓋表面部材の間の空間における横方向対流を抑制することができて、断熱性を向上することができ、蓋からの熱の損失をさらに低減し、省エネルギー性を向上することができる。
【００１５】
請求項５に記載の発明は、上記請求項１〜４に記載の発明において、蓋表面部材と蓋の対向している面のいずれかを反射率の高い表面状態としたものであり、蓋から蓋表面部材へ輻射により伝わる熱を小さくすることができ、断熱性を向上することができ、蓋からの熱の損失をさらに低減し、省エネルギー性を向上することができる。
【００１６】
【実施例】
以下、本発明の実施例について、図面を参照しながら説明する。
【００１７】
（実施例１）
図１に示すように、炊飯器本体１１は、上面が開口し、この炊飯器本体１１の内部に鍋１２の収納部である耐熱性の高い樹脂材料で構成した保護枠１３を配設し、この保護枠１３の上端部は炊飯器本体１１の上面開口部を構成する上枠１４に係合している。保護枠１３の外側には鍋１２を誘導加熱する鍋加熱手段を構成する加熱コイル１５を設けている。保護枠１３の底中心部には鍋温度検知手段を構成する底センサ１６を設けている。制御手段１７は加熱コイル１５への高周波電力の供給を制御するとともに、後述するヒータ２１への電力の供給を制御するものである。
【００１８】
炊飯器本体１の上面開口部を蓋１８で覆い、この蓋１８はヒンジ軸１９により開閉自在に支持している。この蓋１８に炊飯中の蒸気を排出する蒸気口２０を設けるとともに、蓋加熱手段を構成し蓋１８の下面を加熱するヒータ２１を設け、さらに、蓋１８内に蓋断熱材２２を配置している。蓋表面部材２３は金属板を成形し外観品位向上のために上面に塗装を行い、蓋１８を覆うように設けている。補助断熱材２４は、粘着層によって蓋１８に固定し、蓋１８と蓋表面部材２３の間に配置している。
【００１９】
上記構成において作用を説明する。この炊飯器で保温を行うと、蓋１８と蓋表面部材２３の間に補助断熱材２４を配置したことにより、従来よりも蓋２３と蓋表面部材２４の間の断熱性を向上することができ、蓋１８からの熱の損失を低減し、省エネルギー性を向上することができるとともに、蓋１８と蓋表面部材２３を一体成形していないため製造が容易であり、量産性を確保することができる。
【００２０】
特に、蓋表面部材２３を金属によって構成したときなど、熱伝導率がよい材料を使用した場合、少しでも蓋１８の温度の高い部分との断熱性を確保したい構成のときは、本発明の構成は特に効果を発揮する。
【００２１】
なお、本実施例では、補助断熱材２４は、粘着層によって蓋１８に固定し、蓋１８と蓋表面部材２３の間に配置しているが、補助断熱材２４を蓋１８と蓋表面部材２３のどちらにも固定せず挟持するのみの構成としてもよく、この場合は、補助断熱材２４と、蓋１８または蓋表面部材２３との間の接触面積を最小限とすることができ、熱伝導を抑えることができて、省エネルギー性を向上できる。
【００２２】
また、本実施例では、補助断熱材２４を蓋表面部材２３の下面のほぼ全体に位置するようにしているが、蓋１８の前半分だけやヒータ２１の上方だけの断熱性を向上させたいときは、補助断熱材２４を前半分のみ、ヒータ２１の上方のリング状部分のみに配置してもよく、同様の作用効果を得ることができる。
【００２３】
（実施例２）
図２に示すように、蓋２５は、炊飯器本体１の上面開口部を開閉自在に覆うもので、この蓋２５にリブ２５ａを設け、蓋２５と蓋表面部材２３の間に空間２６を形成するようにしている。ここで、リブ２５ａは、水平方向に小さく区切るように設け、図３（ａ）に示すように、格子状に設けてもよく、また、図３（ｂ）に示すように、ハニカム構造としてもよい。他の構成は上記実施例１と同じであり、同一符号を付して説明を省略する。
【００２４】
上記構成において作用を説明する。この炊飯器で保温を行うと、蓋表面部材２３に、たとえ何らかの外力がかかろうと確実に蓋２５と蓋表面部材２３の間の空間２６が形成でき、蓋２５から蓋表面部材２３への熱伝導による熱損失を低減し、省エネルギー性を向上することができる。
【００２５】
また、リブ２５ａを水平方向に小さく区切るように設けることにより、蓋２５と蓋表面部材２３の間の空間における水平方向の対流を抑制することができ、蓋２５から蓋表面部材２３への対流による熱損失を低減し、さらに省エネルギー性を向上することができる。
【００２６】
なお、本実施例では、蓋２５にリブ２５ａを設け、蓋２５と蓋表面部材２３の間に空間２６を形成しているが、蓋表面部材２３にリブを設け、蓋２５と蓋表面部材２３の間に空間を形成するようにしてもよく、同様の作用効果を得ることができ、さらに、双方に設けると効果は向上する。
【００２７】
また、本実施例では、リブ２５ａを蓋表面部材２３の下面のほぼ全体に位置するようにしているが、蓋２５の前半分だけやヒータ２１の上方だけの断熱性を向上させたいときは、リブ２５ａを前半分のみ、ヒータ２１の上方のリング状部分のみに配置してもよく、同様の作用効果を得ることができる。
【００２８】
（実施例３）
図４に示すように、蓋表面部材２７は、金属板を成形し外観品位向上のために上面に塗装を行い、蓋（図示せず）を覆うもので、蓋と対向している面２８は磨きを行った鏡面とし、反射率の高い表面状態としている。他の構成は上記実施例１または２と同じである。
【００２９】
上記構成において作用を説明する。このように蓋表面部材２７を構成すると、蓋から蓋表面部材２７への輻射による熱損失を低減することができ、さらに省エネルギー性を向上することができる。
【００３０】
なお、本実施例では、蓋表面部材２７の蓋と対向している面２８を磨きを行った鏡面とし、反射率の高い表面状態としているが、蓋の蓋表面部材２７と対向している面を磨きを行った鏡面とし、反射率の高い表面状態としてもよく、同様の作用効果を得ることができる。
【００３１】
また、蓋表面部材を白色や銀色などの反射率の比較的高い色で塗装したり、蓋側の面を白色や銀色などで塗装して、反射率の高い表面状態としてもよく、同様の作用効果を得ることができる。
【００３２】
【発明の効果】
以上のように本発明の請求項１に記載の発明によれば、蓋の表面を金属製の蓋表面部材により覆い、蓋と蓋表面部材の間に補助断熱材を配置したから、蓋と蓋表面部材の間の断熱性を向上することができ、蓋からの熱の損失を低減できて、省エネルギー性を向上することができるとともに、成形時の問題をなくし、量産性を確保することができる。
【００３３】
また、請求項２に記載の発明によれば、補助断熱材は、蓋と蓋表面部材のどちらにも固定せず挟持したから、補助断熱材と蓋または蓋表面部材との接触面積を少しでも減らして、熱伝導を抑えることにより省エネルギー性を向上することができる。
【００３４】
また、請求項３に記載の発明によれば、蓋の表面を覆う蓋表面部材と蓋との間に空間を形成するように、蓋、蓋表面部材の少なくとも一方にリブを設けたから、蓋と蓋表面部材の間に空間を確実に形成することができて、断熱性を向上することができ、蓋からの熱の損失を低減し、省エネルギー性を向上することができる。
【００３５】
また、請求項４に記載の発明によれば、リブは、水平方向に小さく区切るように設けたから、蓋と蓋表面部材の間の空間における横方向対流を抑制することができて、断熱性を向上することができ、蓋からの熱の損失をさらに低減し、省エネルギー性を向上することができる。
【００３６】
また、請求項５に記載の発明によれば、蓋表面部材と蓋の対向している面のいずれかを反射率の高い表面状態としたから、蓋から蓋表面部材へ輻射により伝わる熱を小さくすることができ、断熱性を向上することができ、蓋からの熱の損失をさらに低減し、省エネルギー性を向上することができる。
【図面の簡単な説明】
【図１】本発明の第１の実施例の炊飯器の断面図
【図２】本発明の第２の実施例の炊飯器の断面図
【図３】（ａ）同炊飯器の蓋の要部拡大上面図
（ｂ）同炊飯器の蓋の要部拡大上面図
【図４】本発明の第３の実施例の炊飯器の蓋表面部材の一部切欠した断面図
【図５】従来の炊飯器の断面図
【符号の説明】
１１  炊飯器本体
１２  鍋
１５  加熱コイル（鍋加熱手段）
１６  底センサ（鍋温度検知手段）
１７  制御手段
１８  蓋
２１  ヒータ（蓋加熱手段）
２２  蓋断熱材
２３  蓋表面部材
２４  補助断熱材
【図１】
2004350828.tif 000003
【図２】
2004350828.tif 000004
【図３】
2004350828.tif 000005
【図４】
2004350828.tif 000006
【図５】
2004350828.tif 000007